【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
生物学的同調性治療プロトコールを確立することと、
前記生物学的同調性治療プロトコールを開始することであって、前記生物学的同調性治療プロトコールは、生物学的同調性生物活性剤送達装置の使用を含む、開始することと、
前記生物学的同調性治療プロトコール中に患者データを収集することと、
収集された患者データを分析することと、
収集された患者データに基づいて、前記生物学的同調性治療プロトコールへの変更が必要であるか否かを判断することと、
前記生物学的同調性治療プロトコールへの変更が必要であるとの判断に応答して、前記生物学的同調性治療プロトコール及び前記生物学的同調性生物活性剤送達装置の使用を変更することと、
を含む、最適化された生物学的同調性薬剤送達の方法。
【請求項２】
前記生物学的同調性治療プロトコールは、個々の患者の時間パターン、患者の本質的な周期性生物学的プロセス、又は個々の患者の時間パターンと患者の本質的な周期性生物学的プロセスとの組合せに基づく、薬理要素の時間的投与を含む、請求項１に記載の最適化された生物学的同調性薬剤送達の方法。
【請求項３】
前記生物学的同調性治療プロトコールは、時間的心理学的サポートを含む、請求項１に記載の最適化された生物学的同調性薬剤送達の方法。
【請求項４】
時間的心理学的サポートは、患者の時間パターン、若しくは患者の本質的な周期性生物学的プロセスにリンクされ、又は前記生物学的同調性治療プロトコールに事前対策的に基づく、請求項３に記載の最適化された生物学的同調性薬剤送達の方法。
【請求項５】
時間的心理学的サポートは、電子メッセージを含む、及び又は心理学的サポート人員との直接的な対話を含む、請求項４に記載の最適化された生物学的同調性薬剤送達の方法。
【請求項６】
前記生物学的同調性生物活性剤送達装置は、個々の患者の時間パターン、又は本質的な周期性生物学的プロセスに基づいて薬理要素を投与する、請求項１に記載の最適化された生物学的同調性薬剤送達の方法。
【請求項７】
患者データは、前記生物学的同調性治療プロトコールとのコンプライアンスを含む、請求項１に記載の最適化された生物学的同調性薬剤送達の方法。
【請求項８】
患者データは、患者生理学的データを含む、請求項１に記載の最適化された生物学的同調性薬剤送達の方法。
【請求項９】
患者データは、患者心理学的データを含む、請求項１に記載の最適化された生物学的同調性薬剤送達の方法。
【請求項１０】
患者心理学的データは、患者により報告される感情を含む、請求項９に記載の最適化された生物学的同調性薬剤送達の方法。
【請求項１１】
時間的心理学的サポートは、電子メッセージを含む、及び又は心理学的サポート人員との直接的な対話を含む、請求項１０に記載の最適化された生物学的同調性薬剤送達の方法。
【請求項１２】
時間的心理学的サポートは、前記患者により報告される感情に事後対策的に基づく、請求項１０に記載の最適化された生物学的同調性薬剤送達の方法。
【請求項１３】
前記患者により報告される感情は、欲求及び又は不安を含む、請求項１０に記載の最適化された生物学的同調性薬剤送達の方法。
【請求項１４】
変更することは、前記生物学的同調性生物活性剤送達装置に関連付けられた前記生物学的同調性治療プロトコールをリモートに調整することを含む、請求項１に記載の最適化された生物学的同調性薬剤送達の方法。
【請求項１５】
前記生物学的同調性生物活性剤送達装置は、生物活性剤の経皮拡散を開始し、前記拡散は極微針、イオン導入、ソノフォレーシス、電気穿孔、ナノ穿孔、皮膚アブレーション、皮下送達、熱、圧電液滴噴射ディスペンサ、熱液滴噴射ディスペンサ、光浸透エンハンサ、及び化学的浸透エンハンサからなる群からの１つ又は複数を使用して支援される、請求項１に記載の最適化された生物学的同調性薬剤送達の方法。
【請求項１６】
前記少なくとも１つの生物活性剤は、アルプラゾラム、アポモルヒネ、アゼラスチン、ブプレノルフィン、ブプロピオン、クロニジン、エナラプリル、エストラジオール、エチニルエストラジオール、フェンタニール、グラニセトロン、インスリン、リドカイン、メマンチン、メチルフェニデート、メタンフェタミン、ニトログリセリン、ニコチン、酢酸ノルエチステロン（ＮＥＴＡ）、ノルエルゲストロミン、オキシブチニン、ペルゴリド、フェンテルミン、プラミペキソール、ラミプリル、ロピニロール、ロチゴチン、スコポラミン、セレギリン、タクリン、テストステロン、チモロール、及びトルテロジンからなる群から選ばれる、請求項１５に記載の最適化された生物学的同調性薬剤送達の方法。
【手続補正２】
【補正対象書類名】明細書
【補正対象項目名】発明の名称
【補正方法】変更
【補正の内容】
【発明の名称】最適化された生物学的同調性薬剤送達の方法
【手続補正３】
【補正対象書類名】明細書
【補正対象項目名】０１１１
【補正方法】変更
【補正の内容】
【０１１１】
上記説明が、本発明の範囲の限定としてではなく、単なる例として行われたことを明確に理解されたい。特に、上記開示の教示が、当業者に他の変更形態を示唆することが認識される。そのような変更形態は、それ自体が既知であり、本明細書に既に記載される特徴への代替又は追加として使用し得る他の特徴を含み得る。特許請求の範囲は、本願では、特徴の特定の組合せに関して策定されるが、本明細書の開示の範囲が、任意の新規の特徴又は明示的若しくは黙示的に開示される特徴の任意の新規の組合せ、又は当業者に明らかなその任意の一般化若しくは変更も、それらが任意の請求項で現在請求されているものと同じ発明に関連するか否か、及び本発明が取り組むものと同じ技術的問題のうちの任意又は全てを軽減するか否かに関係なく、包含することを理解されたい。それにより、本出願人は、本願又は本願から導出される任意の更なる出願が係属している間、そのような特徴及び／又はそのような特徴の組合せについて、新しい特許請求の範囲を策定する権利を留保する。
〔付記１〕
生物学的同調性治療プロトコールを確立することと、
前記生物学的同調性治療プロトコールを開始することであって、前記生物学的同調性治療プロトコールは、生物学的同調性生物活性剤送達装置の使用を含む、開始することと、
前記生物学的同調性治療プロトコール中に患者データを収集することと、
収集された患者データを分析することと、
収集された患者データに基づいて、前記生物学的同調性治療プロトコールへの変更が必要であるか否かを判断することと、
前記生物学的同調性治療プロトコールへの変更が必要であるとの判断に応答して、前記生物学的同調性治療プロトコール及び前記生物学的同調性生物活性剤送達装置の使用を変更することと、
を含む、最適化された生物学的同調性薬剤送達の方法。
〔付記２〕
前記生物学的同調性治療プロトコールは、個々の患者の時間パターンに基づく薬理要素の時間的投与を含む、付記１に記載の最適化された生物学的同調性薬剤送達の方法。
〔付記３〕
前記生物学的同調性治療プロトコールは、患者の本質的な周期性生物学的プロセスに基づく薬理要素の時間的投与を含む、付記１に記載の最適化された生物学的同調性薬剤送達の方法。
〔付記４〕
前記生物学的同調性治療プロトコールは、個々の患者の時間パターンと患者の本質的な周期性生物学的プロセスとの組合せに基づく薬理要素の時間的投与を含む、付記１に記載の最適化された生物学的同調性薬剤送達の方法。
〔付記５〕
前記生物学的同調性治療プロトコールは、時間的心理学的サポートを含む、付記１に記載の最適化された生物学的同調性薬剤送達の方法。
〔付記６〕
時間的心理学的サポートは患者の時間パターンにリンクされる、付記５に記載の最適化された生物学的同調性薬剤送達の方法。
〔付記７〕
時間的心理学的サポートは、患者の本質的な周期性生物学的プロセスにリンクされる、付記５に記載の最適化された生物学的同調性薬剤送達の方法。
〔付記８〕
時間的心理学的サポートは、前記生物学的同調性治療プロトコールに事前対策的に基づく、付記５に記載の最適化された生物学的同調性薬剤送達の方法。
〔付記９〕
時間的心理学的サポートは、電子メッセージを含む、付記８に記載の最適化された生物学的同調性薬剤送達の方法。
〔付記１０〕
時間的心理学的サポートは、心理学的サポート人員との直接的な対話を含む、付記８に記載の最適化された生物学的同調性薬剤送達の方法。
〔付記１１〕
前記生物学的同調性生物活性剤送達装置は、個々の患者の時間パターンに基づいて薬理要素を投与する、付記１に記載の最適化された生物学的同調性薬剤送達の方法。
〔付記１２〕
前記生物学的同調性生物活性剤送達装置は、本質的な周期性生物学的プロセスに基づいて薬理要素を投与する、付記１に記載の最適化された生物学的同調性薬剤送達の方法。
〔付記１３〕
患者データは、前記生物学的同調性治療プロトコールとのコンプライアンスを含む、付記１に記載の最適化された生物学的同調性薬剤送達の方法。
〔付記１４〕
患者データは、患者生理学的データを含む、付記１に記載の最適化された生物学的同調性薬剤送達の方法。
〔付記１５〕
患者データは、患者心理学的データを含む、付記１に記載の最適化された生物学的同調性薬剤送達の方法。
〔付記１６〕
患者心理学的データは、患者により報告される感情を含む、付記１５に記載の最適化された生物学的同調性薬剤送達の方法。
〔付記１７〕
時間的心理学的サポートは、前記患者により報告される感情に事後対策的に基づく、付記１６に記載の最適化された生物学的同調性薬剤送達の方法。
〔付記１８〕
時間的心理学的サポートは、電子メッセージを含む、付記１７に記載の最適化された生物学的同調性薬剤送達の方法。
〔付記１９〕
時間的心理学的サポートは、心理学的サポート人員との直接的な対話を含む、付記１７に記載の最適化された生物学的同調性薬剤送達の方法。
〔付記２０〕
前記患者により報告される感情は、欲求を含む、付記１６に記載の最適化された生物学的同調性薬剤送達の方法。
〔付記２１〕
前記患者により報告される感情は、不安を含む、付記１６に記載の最適化された生物学的同調性薬剤送達の方法。
〔付記２２〕
変更することは、前記生物学的同調性生物活性剤送達装置に関連付けられた前記生物学的同調性治療プロトコールをリモートに調整することを含む、付記１に記載の最適化された生物学的同調性薬剤送達の方法。
〔付記２３〕
前記生物学的同調性生物活性剤送達装置は、生物活性剤の経皮拡散を開始し、前記拡散は極微針、イオン導入、ソノフォレーシス、電気穿孔、ナノ穿孔、皮膚アブレーション、皮下送達、熱、圧電液滴噴射ディスペンサ、熱液滴噴射ディスペンサ、光浸透エンハンサ、及び化学的浸透エンハンサからなる群からの１つ又は複数を使用して支援される、付記１に記載の最適化された生物学的同調性薬剤送達の方法。
〔付記２４〕
前記少なくとも１つの生物活性剤は、アルプラゾラム、アポモルヒネ、アゼラスチン、ブプレノルフィン、ブプロピオン、クロニジン、エナラプリル、エストラジオール、エチニルエストラジオール、フェンタニール、グラニセトロン、インスリン、リドカイン、メマンチン、メチルフェニデート、メタンフェタミン、ニトログリセリン、ニコチン、酢酸ノルエチステロン（ＮＥＴＡ）、ノルエルゲストロミン、オキシブチニン、ペルゴリド、フェンテルミン、プラミペキソール、ラミプリル、ロピニロール、ロチゴチン、スコポラミン、セレギリン、タクリン、テストステロン、チモロール、及びトルテロジンからなる群から選ばれる、付記２３に記載の最適化された生物学的同調性薬剤送達の方法。
〔付記２５〕
生物学的同調性治療プロトコールの最適化された生物学的同調性薬剤送達の方法であって、
前記生物学的同調性治療プロトコールによる生物学的同調性生物活性剤送達装置の使用中、患者データを収集することと、
前記生物学的同調性生物活性剤送達装置の使用中、収集された患者データを分析することと、
前記生物学的同調性生物活性剤送達装置の使用中、前記生物学的同調性治療プロトコールを変更することと、
を含む、方法。
〔付記２６〕
前記生物学的同調性治療プロトコールは、前記生物学的同調性生物活性剤送達装置を使用して、１つ又は複数の薬理要素を投与することと、心理学的サポートを提供することとを含む、付記２５に記載の最適化された生物学的同調性薬剤送達の方法。
〔付記２７〕
前記生物学的同調性治療プロトコールは、個々の患者の時間パターンに基づく薬理要素の時間的投与を含む、付記２６に記載の最適化された生物学的同調性薬剤送達の方法。
〔付記２８〕
前記生物学的同調性治療プロトコールは、患者の本質的な周期性生物学的プロセスに基づく薬理要素の時間的投与を含む、付記２６に記載の最適化された生物学的同調性薬剤送達の方法。
〔付記２９〕
前記生物学的同調性治療プロトコールは、個々の患者の時間パターンと患者の本質的な周期性生物学的プロセスとの組合せに基づく薬理要素の時間的投与を含む、付記２６に記載の最適化された生物学的同調性薬剤送達の方法。
〔付記３０〕
心理学的サポートは、収集される患者データに事後対策的に基づく、付記２６に記載の最適化された生物学的同調性薬剤送達の方法。
〔付記３１〕
心理学的サポートは個々の患者の時間パターンにリンクされる、付記２６に記載の最適化された生物学的同調性薬剤送達の方法。
〔付記３２〕
心理学的サポートは、本質的な周期性生物学的プロセスにリンクされる、付記２６に記載の最適化された生物学的同調性薬剤送達の方法。
〔付記３３〕
心理学的サポートは、前記生物学的同調性治療プロトコールに事前対策的に基づく、付記２６に記載の最適化された生物学的同調性薬剤送達の方法。
〔付記３４〕
心理学的サポートは、電子メッセージを含む、付記２６に記載の最適化された生物学的同調性薬剤送達の方法。
〔付記３５〕
心理学的サポートは、心理学的サポート人員との直接的な対話を含む、付記２６に記載の最適化された生物学的同調性薬剤送達の方法。
〔付記３６〕
患者データは、患者感情状態データを含む、付記２５に記載の最適化された生物学的同調性薬剤送達の方法。
〔付記３７〕
患者感情状態データは、欲求を含む、付記３６に記載の最適化された生物学的同調性薬剤送達の方法。
〔付記３８〕
患者感情状態データは、不安を含む、付記３６に記載の最適化された生物学的同調性薬剤送達の方法。
〔付記３９〕
収集することは、前記生物学的同調性治療プロトコールの患者コンプライアンス及び前記生物学的同調性生物活性剤送達装置の使用に関するコンプライアンスデータを収集することを含む、付記３６に記載の最適化された生物学的同調性薬剤送達の方法。
〔付記４０〕
分析することは、コンプライアンスデータに患者感情状態データを相関付けることを含む、付記３９に記載の最適化された生物学的同調性薬剤送達の方法。
〔付記４１〕
患者データは、患者心理学的データを含む、付記２５に記載の最適化された生物学的同調性薬剤送達の方法。
〔付記４２〕
変更することは、時間的心理学的サポートを開始することを含む、付記２５に記載の最適化された生物学的同調性薬剤送達の方法。
〔付記４３〕
変更することは、前記生物学的同調性生物活性剤送達装置による薬理要素の時間的投与を調整することを含む、付記２５に記載の最適化された生物学的同調性薬剤送達の方法。
〔付記４４〕
前記生物学的同調性物理活性剤送達装置は、生物活性剤の経皮拡散を開始し、前記拡散は極微針、イオン導入、ソノフォレーシス、電気穿孔、ナノ穿孔、皮膚アブレーション、皮下送達、熱、圧電液滴噴射ディスペンサ、熱液滴噴射ディスペンサ、光浸透エンハンサ、及び化学的浸透エンハンサからなる群からの１つ又は複数を使用して支援される、付記２５に記載の最適化された生物学的同調性薬剤送達の方法。
〔付記４５〕
前記少なくとも１つの生物活性剤は、アルプラゾラム、アポモルヒネ、アゼラスチン、ブプレノルフィン、ブプロピオン、クロニジン、エナラプリル、エストラジオール、エチニルエストラジオール、フェンタニール、グラニセトロン、インスリン、リドカイン、メマンチン、メチルフェニデート、メタンフェタミン、ニトログリセリン、ニコチン、酢酸ノルエチステロン（ＮＥＴＡ）、ノルエルゲストロミン、オキシブチニン、ペルゴリド、フェンテルミン、プラミペキソール、ラミプリル、ロピニロール、ロチゴチン、スコポラミン、セレギリン、タクリン、テストステロン、チモロール、及びトルテロジンからなる群から選ばれる、付記４４に記載の最適化された生物学的同調性薬剤送達の方法。
〔付記４６〕
最適化された生物学的同調性薬剤送達のシステムであって、
生物学的同調性治療プロトコールと、
前記生物学的同調性治療プロトコールに基づいて薬理要素を投与するように構成される生物学的同調性生物活性剤送達装置と、
前記生物学的同調性治療プロトコールの実施中に収集される患者データと、
収集された患者データを分析し、前記生物学的同調性治療プロトコールを最適化するように動作可能な分析モジュールと、
を備える、システム。
〔付記４７〕
前記分析モジュールは、収集された患者データに基づいて、変更された生物学的同調性治療プロトコールを作成するように動作可能である、付記４６に記載の最適化された生物学的同調性薬剤送達のシステム。
〔付記４８〕
前記変更された生物学的同調性治療プロトコールを前記生物活性剤送達装置に通信するように動作可能な通信モジュールを更に備える、付記４７に記載の最適化された生物学的同調性薬剤送達のシステム。
〔付記４９〕
前記生物学的同調性治療プロトコールは、個々の患者の時間パターンに基づいて時間的に投与される薬理要素を含む、付記４６に記載の最適化された生物学的同調性薬剤送達のシステム。
〔付記５０〕
前記生物学的同調性治療プロトコールは、患者の本質的な周期性生物学的プロセスに基づいて時間的に投与される薬理要素を含む、付記４６に記載の最適化された生物学的同調性薬剤送達のシステム。
〔付記５１〕
前記生物学的同調性治療プロトコールは、個々の患者の時間パターンと患者の本質的な周期性生物学的プロセスとの組合せに基づいて時間的に投与される薬理要素を含む、付記４６に記載の最適化された生物学的同調性薬剤送達のシステム。
〔付記５２〕
前記生物学的同調性治療プロトコールは、時間的心理学的サポートを含む、付記４６に記載の最適化された生物学的同調性薬剤送達のシステム。
〔付記５３〕
時間的心理学的サポートは患者の時間パターンにリンクされる、付記５２に記載の最適化された生物学的同調性薬剤送達のシステム。
〔付記５４〕
時間的心理学的サポートは、患者の本質的な周期性生物学的プロセスにリンクされる、付記５２に記載の最適化された生物学的同調性薬剤送達のシステム。
〔付記５５〕
時間的心理学的サポートは、前記生物学的同調性治療プロトコールに対して事前対策的に開始される、付記５２に記載の最適化された生物学的同調性薬剤送達のシステム。
〔付記５６〕
時間的心理学的サポートは、電子メッセージを含む、付記５５に記載の最適化された生物学的同調性薬剤送達のシステム。
〔付記５７〕
時間的心理学的サポートは、心理学的サポート人員との直接的な対話を含む、付記５５に記載の最適化された生物学的同調性薬剤送達のシステム。
〔付記５８〕
前記生物学的同調性生物活性剤送達装置は、個々の患者の時間パターンに基づいて薬理要素を投与する、付記４６に記載の最適化された生物学的同調性薬剤送達のシステム。
〔付記５９〕
前記生物学的同調性生物活性剤送達装置は、本質的な周期性生物学的プロセスに基づいて薬理要素を投与する、付記４６に記載の最適化された生物学的同調性薬剤送達のシステム。
〔付記６０〕
前記生物学的同調性生物活性剤送達装置は、本質的な周期性生物学的プロセス及び個々の患者の時間パターンに基づいて薬理要素を投与する、付記４６に記載の最適化された生物学的同調性薬剤送達のシステム。
〔付記６１〕
患者データは、前記生物学的同調性治療プロトコールとのコンプライアンスを反映したコンプライアンスデータを含む、付記４６に記載の最適化された生物学的同調性薬剤送達のシステム。
〔付記６２〕
患者データは、患者生理学的データを含む、付記４６に記載の最適化された生物学的同調性薬剤送達のシステム。
〔付記６３〕
患者データは、患者心理学的データを含む、付記４６に記載の最適化された生物学的同調性薬剤送達のシステム。
〔付記６４〕
患者心理学的データは、患者により報告される感情を含む、付記６３に記載の最適化された生物学的同調性薬剤送達のシステム。
〔付記６５〕
時間的心理学的サポートは、前記患者により報告される感情に事後対策的に基づく、付記６４に記載の最適化された生物学的同調性薬剤送達のシステム。
〔付記６６〕
時間的心理学的サポートは、電子メッセージを含む、付記６５に記載の最適化された生物学的同調性薬剤送達のシステム。
〔付記６７〕
時間的心理学的サポートは、心理学的サポート人員との直接的な対話を含む、付記６５に記載の最適化された生物学的同調性薬剤送達のシステム。
〔付記６８〕
前記患者により報告される感情は、欲求を含む、付記６４に記載の最適化された生物学的同調性薬剤送達のシステム。
〔付記６９〕
前記患者により報告される感情は、不安を含む、付記６４に記載の最適化された生物学的同調性薬剤送達のシステム。
〔付記７０〕
前記生物学的同調性生物活性剤送達装置は、生物活性剤の経皮拡散を開始し、前記拡散は極微針、イオン導入、ソノフォレーシス、電気穿孔、ナノ穿孔、皮膚アブレーション、皮下送達、熱、圧電液滴噴射ディスペンサ、熱液滴噴射ディスペンサ、光浸透エンハンサ、及び化学的浸透エンハンサからなる群からの１つ又は複数を使用して支援される、付記４６に記載の最適化された生物学的同調性薬剤送達のシステム。
〔付記７１〕
前記少なくとも１つの生物活性剤は、アルプラゾラム、アポモルヒネ、アゼラスチン、ブプレノルフィン、ブプロピオン、クロニジン、エナラプリル、エストラジオール、エチニルエストラジオール、フェンタニール、グラニセトロン、インスリン、リドカイン、メマンチン、メチルフェニデート、メタンフェタミン、ニトログリセリン、ニコチン、酢酸ノルエチステロン（ＮＥＴＡ）、ノルエルゲストロミン、オキシブチニン、ペルゴリド、フェンテルミン、プラミペキソール、ラミプリル、ロピニロール、ロチゴチン、スコポラミン、セレギリン、タクリン、テストステロン、チモロール、及びトルテロジンからなる群から選ばれる、付記７０に記載の最適化された生物学的同調性薬剤送達のシステム。